(57)【要約】【課題】低コストでありながら、蒸気タービンの高周波数の騒音と低周波数の騒音を低減する騒音低減外衣を提供する。【解決手段】発電機を駆動する蒸気タービン１０を覆う外衣壁１２を設け、外衣壁１２の壁面１２ａの内側に騒音を低減する共鳴器１３を複数設けた。【選択図】図１
2008008243.tif 000002
【特許請求の範囲】
【請求項１】
発電機を駆動する蒸気タービンを覆う外衣壁を設け、
前記外衣壁の壁面の内側に騒音を低減する共鳴器を複数設ける
ことを特徴とする騒音低減外衣。
【請求項２】
請求項１に記載の騒音低減外衣において、
前記外衣壁と前記共鳴器との間に振動を遮断する空気層を設ける
ことを特徴とする騒音低減外衣。
【請求項３】
請求項１又は請求項２に記載の騒音低減外衣において、
前記外衣壁の天井部に排熱用の開口部を設ける
ことを特徴とする騒音低減外衣。
【請求項４】
発電機を駆動する蒸気タービンを覆う外衣壁を設け、
前記外衣壁の天井部に開口部を設け、
前記開口部の近傍に騒音を低減する共鳴器を複数設ける
ことを特徴とする騒音低減外衣。
【請求項５】
請求項４に記載の騒音低減外衣において、
前記共鳴器に、前記共鳴器の設置角度を調整する角度調整機構を設ける
ことを特徴とする騒音低減外衣。
【請求項６】
発電機を駆動する蒸気タービンを覆う外衣壁を設け、
前記外衣壁内部の騒音の音圧が高い点に、騒音を低減する共鳴器を設ける
ことを特徴とする騒音低減外衣。
【請求項７】
請求項１乃至請求項６のいずれかに記載の騒音低減外衣において、
前記共鳴器を、有効な周波数が異なる複数の共鳴器により構成する
ことを特徴とする騒音低減外衣。
【請求項８】
請求項１乃至請求項７のいずれかに記載の騒音低減外衣において、
前記共鳴器を、複数の共鳴器を一体に成形する
ことを特徴とする騒音低減外衣。
【請求項９】
請求項１乃至請求項８のいずれかに記載の騒音低減外衣において、
前記共鳴器を、発電周波数と同じ周波数の騒音、又は、発電周波数の倍数と同じ周波数の騒音を低減するよう設定する
ことを特徴とする騒音低減外衣。
【請求項１０】
請求項１乃至請求項９のいずれかに記載の騒音低減外衣において、
前記共鳴器に吸音材を設ける
ことを特徴とする騒音低減外衣。
【発明の詳細な説明】
【技術分野】
【０００１】
本発明は、騒音低減外衣に関する。
【背景技術】
【０００２】
従来から蒸気タービンで発生する騒音を低減するために、蒸気タービンを外衣壁で覆うことにより騒音を低減する方法が一般的に実施されている。このような騒音低減方法の一例が下記特許文献１に開示されている。
【０００３】
【特許文献１】特開２００３−７４３７５号公報（段落「００５４」）
【０００４】
図１２に従来の騒音低減外衣の側面図を示す。図１２に示すように、従来の騒音低減外衣では、蒸気タービン３０を外衣壁３１で覆い、この外衣壁３１の内側に騒音を吸収する吸音材３２を設置することで騒音の低減を図っている。
【発明の開示】
【発明が解決しようとする課題】
【０００５】
しかしながら、従来の騒音低減方法では、高周波数の騒音、例えば１ｋＨｚ程度の周波数の騒音については十分に低減することが可能であるが、蒸気タービンの騒音は高帯域の音、及び、発電周波数と同じ周波数の音、並びに、発電周波数の倍成分の周波数の音が合わさったものであるため、低周波数の騒音となる発電周波数と同じ周波数の音、及び、発電周波数の倍成分の周波数の音を十分低減することができないことから、更なる低騒音化の妨げとなっている。
【０００６】
また、従来の騒音低減方法により低周波数の騒音まで低減しようとした場合、外衣壁の板厚を大幅に増加する必要があり、また、外衣壁の内側に設置する吸音材を低周波数の騒音も吸音するものに性能を向上させる必要があるため、大幅なコスト上昇を伴うという問題がある。
【０００７】
これらのことから、本発明は、低コストでありながら、蒸気タービンの高周波数の騒音と低周波数の騒音を低減する騒音低減外衣を提供することを目的とする。
【課題を解決するための手段】
【０００８】
共鳴器は、共鳴周波数をチューニングすることで、騒音の低減に効果があり、騒音周波数を特定できるような部位（例えば、流体が流れるダクトなど）に共鳴器を適用した例が見られる。
【０００９】
従来、蒸気タービンの発生する騒音は、さまざまの周波数のものを含むため、タービン外衣壁に設置する吸音構造としては、広い周波数の騒音に対応できる吸音材が外衣壁に設置され用いられていた。
【００１０】
しかし、蒸気タービンの発生する騒音の周波数を分析すると、その分布には偏りがあり、特に発電周波数とその高調波成分（1/1オクターブバンドで63Hz、125Hz、250Hz帯域）など低周波数の領域にある特定の、あるいは、いくつかの周波数の騒音を抑制すれば、全体としては、相当の騒音抑制効果が期待できることに発明者らは着目して本件発明をなしたものである。
【００１１】
また、蒸気タービンで発生する熱の排熱、定期点検時の作業性向上のために外衣壁上部に開口部を設ける場合には、当該開口部の開口部近傍に共鳴器を設置するだけでも騒音抑制効果が期待できること、蒸気タービンの発生する騒音が外衣壁面に入射する方向をあらかじめ予測することは実際には難しいため、一度設置した後で、騒音低減効果が最も大きい角度に調整し直して固定できる構造が望ましいこと、タービン外衣壁面における騒音の音圧は一様ではなく、音圧が高い部分、例えば、外衣壁の角部などに共鳴器を設置すれば、全体としては、相当の騒音低減効果が期待できること等に発明者らは着目し本件発明をなしたものである。
【００１２】
上記の課題を解決するための第１の発明（請求項１に対応）に係る騒音低減外衣は、
発電機を駆動する蒸気タービンを覆う外衣壁を設け、
前記外衣壁の壁面の内側に騒音を低減する共鳴器を複数設ける
ことを特徴とする。
【００１３】
上記の課題を解決するための第２の発明（請求項２に対応）に係る騒音低減外衣は、第１の発明に係る騒音低減外衣において、前記外衣壁と前記共鳴器との間に振動を遮断する空気層を設けることを特徴とする。
【００１４】
上記の課題を解決するための第３の発明（請求項３に対応）に係る騒音低減外衣は、第１の発明又は第２の発明に係る騒音低減外衣において、前記外衣壁の天井部に排熱用の開口部を設けることを特徴とする。
【００１５】
上記の課題を解決するための第４の発明（請求項４に対応）に係る騒音低減外衣は、
発電機を駆動する蒸気タービンを覆う外衣壁を設け、
前記外衣壁の天井部に開口部を設け、
前記開口部の近傍に騒音を低減する共鳴器を複数設ける
ことを特徴とする。
【００１６】
上記の課題を解決するための第５の発明（請求項５に対応）に係る騒音低減外衣は、第４の発明に係る騒音低減外衣において、前記共鳴器に、前記共鳴器の設置角度を調整する角度調整機構を設けることを特徴とする。
【００１７】
上記の課題を解決するための第６の発明（請求項６に対応）に係る騒音低減外衣は、
発電機を駆動する蒸気タービンを覆う外衣壁を設け、
前記外衣壁内部の騒音の音圧が高い点に、騒音を低減する共鳴器を設ける
ことを特徴とする。
【００１８】
上記の課題を解決するための第７の発明（請求項７に対応）に係る騒音低減外衣は、第１の発明乃至第６の発明のいずれかに記載の騒音低減外衣において、前記共鳴器を、有効な周波数が異なる複数の共鳴器により構成することを特徴とする。
【００１９】
上記の課題を解決するための第８の発明（請求項８に対応）に係る騒音低減外衣は、第１の発明乃至第７の発明のいずれかに記載の騒音低減外衣において、前記共鳴器を、複数の共鳴器を一体に成形することを特徴とする。
【００２０】
上記の課題を解決するための第９の発明（請求項９に対応）に係る騒音低減外衣は、第１の発明乃至第８の発明のいずれかに記載の騒音低減外衣において、前記共鳴器を、発電周波数と同じ周波数の騒音、又は、発電周波数の倍数と同じ周波数の騒音を低減するよう設定することを特徴とする。
【００２１】
上記の課題を解決するための第１０の発明（請求項１０に対応）に係る騒音低減外衣は、第１の発明乃至第９の発明のいずれかに記載の騒音低減外衣において、前記共鳴器に吸音材を設けることを特徴とする。
【発明の効果】
【００２２】
第１の発明によれば、発電機を駆動する蒸気タービンを覆う外衣壁を設け、外衣壁の壁面の内側に騒音を低減する共鳴器を複数設けることにより、外衣壁により低減することが困難な低周波数の騒音を低減することができる。さらに、外衣壁の板厚を増加する必要がなく、外衣壁の内側に設置する吸音材を低周波数の騒音も吸音するものにスペックを向上させる必要がないため、コスト上昇を抑制することができる。
【００２３】
第２の発明によれば、第１の発明による効果に加え、外衣壁と共鳴器との間に振動を遮断する空気層を設けることにより、共鳴器と外衣壁とが直接接することがなくなるため、共鳴器から外衣壁へ騒音が振動として直接伝わることを防ぐことができる。このため、騒音低減性能をより向上させることができる。
【００２４】
第３の発明によれば、第１の発明又は第２の発明による効果に加え、外衣壁の天井部に排熱用の開口部を設けることにより、蒸気タービンで発生する熱を排熱することができる。さらに、蒸気タービンの定期点検時における作業性を確保することができる。
【００２５】
第４の発明によれば、発電機を駆動する蒸気タービンを覆う外衣壁を設け、外衣壁の天井部に開口部を設け、開口部の近傍に騒音を低減する共鳴器を複数設けることにより、外衣壁により低減することが困難な低周波数の騒音をより効率的に低減することができる。さらに、設置する共鳴器の数が少なくてすむため、コスト上昇をより抑制することができる。
【００２６】
第５の発明によれば、第４の発明による効果に加え、共鳴器に、共鳴器の設置角度を調整する角度調整機構を設けることにより、外衣壁により低減することが困難な低周波数の騒音をより効率的に低減することができる。
【００２７】
第６の発明によれば、発電機を駆動する蒸気タービンを覆う外衣壁を設け、外衣壁内部の騒音の音圧が高い点に、騒音を低減する共鳴器を設けることにより、外衣壁により低減することが困難な低周波数の騒音をより効率的に低減することができる。さらに、設置する共鳴器の数が少なくてすむため、コスト上昇をより抑制することができる。
【００２８】
第７の発明によれば、第１の発明乃至第６の発明のいずれかの効果に加え、共鳴器を、有効な周波数が異なる複数の共鳴器により構成することにより、外衣壁により低減することが困難な複数の低周波数の騒音をより効率的に低減することができる。
【００２９】
第８の発明によれば、第１の発明乃至第７の発明のいずれかの効果に加え、共鳴器を、複数の共鳴器を一体に成形することにより、設置する数は通常の共鳴器と同じであっても作業工数が少なくてすむため、コスト上昇をより抑制することができる。
【００３０】
第９の発明によれば、第１の発明乃至第８の発明のいずれかの効果に加え、共鳴器を、発電周波数と同じ周波数の騒音、又は、発電周波数の倍数と同じ周波数の騒音を低減するよう設定することにより、外衣壁により低減することが困難な発電周波数と同じ周波数の騒音や、発電周波数の倍数と同じ周波数の騒音をより効率的に低減することができる。
【００３１】
第１０の発明によれば、第１の発明乃至第９の発明のいずれかの効果に加え、共鳴器に吸音材を設置することにより、高周波数の騒音をより低減することができる。
【発明を実施するための最良の形態】
【００３２】
以下、本発明に係る騒音低減方法の実施例について、図１から図１１を用いて説明する。図１は実施例１に係る共鳴器を設けた騒音低減外衣の側面図、図２は実施例２に係る空気層を設けた騒音低減外衣の側面図、図３は実施例３に係る開口部を設けた騒音低減外衣の側面図、図４は実施例４に係る空気層と開口部を設けた騒音低減外衣の側面図、図５は実施例５に係る開口部近傍に共鳴器を設けた騒音低減外衣の側面図、図６は実施例６に係る開口部近傍に角度調整可能に共鳴器を設けた騒音低減外衣の側面図、図７は実施例７に係る高音圧点に共鳴器を設けた騒音低減外衣の側面図、図８は実施例１から実施例７に係る共鳴器の斜視図、図９は実施例８に係る複数チューニング型共鳴器の斜視図、図１０は実施例９に係る複合共鳴器の斜視図、図１１は実施例１０に係る複数チューニング型複合共鳴器の斜視図である。
【実施例１】
【００３３】
以下、第１の実施例に係る騒音低減外衣の構造について説明する。なお、本実施例では、蒸気タービンの騒音低減について説明する。また、低周波数の騒音とは、発電周波数、例えば５０Ｈｚ又は６０Ｈｚ程度の周波数の騒音、及び、発電周波数の倍数、例えば１００Ｈｚ又は１２０Ｈｚの周波数の騒音を意味する。
【００３４】
図１に本実施例に係る騒音低減外衣の側面図を示す。図１に示すように、蒸気タービン１０は、タービンフロア１１に設置されている。この蒸気タービン１０を覆うように板状の外衣壁１２が設置されている。外衣壁１２の壁面１２ａの内面には、断面が略凸形状の共鳴器１３を多数設置する。
【００３５】
この共鳴器１３は、発電周波数と同じ周波数の騒音を低減するものである。本実施例では、共鳴器１３を壁面１２ａに隙間なく設置したが、壁面１２ａに隙間なく設置しなくとも発電周波数と同じ周波数の騒音を十分に低減することができるだけの個数を設置すればよい。
【００３６】
図８に本実施例に係る共鳴器の斜視図を示す。図８に示すように、共鳴器１３は、立方体形状の容器部１３ａと、この容器部１３ａのひとつの面に端部が開口部１３ｃとなっている円筒形状の管部１３ｂとにより形成されている。
【００３７】
この共鳴器１３は、ヘルムホルツの共鳴器として一般的によく知られているものであり、共鳴器１３の寸法等は一般的に知られている公式等を適用することにより容易に導出することができる。本実施例の要点は、共鳴器１３自体の構造ではなく、共鳴器１３の配置方法等にあるため、共鳴器１３の具体的な寸法等についての記載は省略する。
【００３８】
図１に示すように、外衣壁１２の壁面１２ａの内側に隙間なく複数設置された共鳴器１３の管部１３ａの間の部分には、高周波数の騒音を吸収する吸音材１４ａを設置する。また、外衣壁１２の天井部１２ｂの内側の部分にも高周波数の騒音を吸収する吸音材１４ｂを設置する。このように、本実施例では、吸音材１４ａ，１４ｂを設置したが、外衣壁１２により高周波数の騒音が十分に低減することができるのであれば、吸音材１４ａ，１４ｂの設置を省略することができる。
【００３９】
以上のように、本実施例に係る騒音低減外衣によれば、発電機を駆動する蒸気タービン１０を覆う外衣壁１２を設け、外衣壁１２の壁面１２ａの内側に騒音を低減する共鳴器１３を複数設けることにより、外衣壁１２により低減することが困難な低周波数の騒音を低減することができる。さらに、外衣壁１２の板厚を増加する必要がなく、外衣壁１２の内側に設置する吸音材１４ａ，１４ｂを低周波数の騒音も吸音するものにスペックを向上させる必要がないため、コスト上昇を抑制することができる。
【実施例２】
【００４０】
以下、第２の実施例に係る騒音低減外衣の構造について説明する。本実施例に係る騒音低減外衣では、共鳴器と外衣壁の壁面の内面との間に空気層を設けた。本実施例に係る騒音低減外衣の構造は、空気層を設けたこと以外の構造については、第１の実施例に係る低騒音外衣の構造と略同様である。
【００４１】
図２に本実施例に係る騒音低減外衣の側面図を示す。図２に示すように、外衣壁１２の壁面１２ａの内面と共鳴器１３の外衣壁１２側の面との間に空間を設けて空気層１５とした。この空気層１５により、共鳴器１３と外衣壁１２とが直接接することがなくなるため、共鳴器１３から外衣壁１２へ騒音が振動として直接伝わることを防ぐことができる。このため、外衣壁１２の騒音低減性能をより向上させることができる。
【００４２】
以上のように、本実施例に係る騒音低減外衣によれば、外衣壁１２と共鳴器１３との間に振動を遮断する空気層１５を設けることにより、共鳴器１３と外衣壁１２とが直接接することがなくなるため、共鳴器１３から外衣壁１２へ騒音が振動として直接伝わることを防ぐことができる。このため、騒音低減性能をより向上させることができる。
【実施例３】
【００４３】
以下、第３の実施例に係る騒音低減外衣の構造について説明する。本実施例に係る騒音低減外衣では、外衣壁の天井に開口部を設けた。この開口部により、本実施例に係る騒音低減外衣の構造は、開口部を設けたこと以外の構造については、第１の実施例に係る低騒音外衣の構造と略同様である。
【００４４】
図３に本実施例に係る騒音低減外衣の側面図を示す。図３に示すように、外衣壁１２の天井部１２ｂの蒸気タービン１０の上方にあたる部分に開口部１６を設ける。この開口部１６により、蒸気タービン１０で発生する熱を排熱することができる。さらに、蒸気タービン１０の定期点検時における作業性を確保することができる。
【００４５】
以上のように、本実施例に係る騒音低減外衣によれば、外衣壁１２の天井部１２ｂに排熱用の開口部１６を設けることにより、蒸気タービン１０で発生する熱を排熱することができる。さらに、蒸気タービン１０の定期点検時における作業性を確保することができる。
【実施例４】
【００４６】
以下、第４の実施例に係る騒音低減外衣の構造について説明する。本実施例に係る騒音低減外衣では、共鳴器と外衣壁の壁面の内面との間に空気層と、外衣壁の天井に開口部を設けた。本実施例に係る騒音低減外衣の構造は、空気層と開口部を設けたこと以外の構造については、第１の実施例に係る低騒音外衣の構造と略同様である。
【００４７】
図４に本実施例に係る騒音低減外衣の側面図を示す。図４に示すように、外衣壁１２の壁面１２ａの内面と共鳴器１３の外衣壁１２側の面との間に空間を設けて空気層１５とした。この空気層１５により、共鳴器１３と外衣壁１２とが直接接することがなくなるため、共鳴器１３から外衣壁１２へ騒音が直接伝わることを防ぐことができる。このため、外衣壁１２の騒音低減性能をより向上させることができる。
【００４８】
また、外衣壁１２の天井部１２ｂの蒸気タービン１０の上方にあたる部分に開口部１６を設ける。この開口部１６により、蒸気タービン１０からの熱を排熱することができる。さらに、蒸気タービン１０の定期点検時における作業性を確保することができる。
【００４９】
以上のように、本実施例に係る騒音低減外衣によれば、外衣壁１２と共鳴器１３との間に振動を遮断する空気層１５を設けることにより、共鳴器１３と外衣壁１２とが直接接することがなくなるため、共鳴器１３から外衣壁１２へ騒音が振動として直接伝わることを防ぐことができる。このため、騒音低減性能をより向上させることができる。
【００５０】
また、外衣壁１２の天井部１２ｂに排熱用の開口部１６を設けることにより、蒸気タービン１０で発生する熱を排熱することができる。さらに、蒸気タービン１０の定期点検時における作業性を確保することができる。
【実施例５】
【００５１】
以下、第５の実施例に係る騒音低減外衣の構造について説明する。図５に本実施例に係る騒音低減外衣の側面図を示す。図５に示すように、蒸気タービン１０は、タービンフロア１１に設置されている。この蒸気タービン１０を覆うように板状の外衣壁１２が設置されている。外衣壁１２の天井部１２ｂの蒸気タービン１０の上方にあたる部分に開口部１６を設ける。
【００５２】
この開口部１６により、蒸気タービン１０からの熱を排熱することができる。さらに、蒸気タービン１０の定期点検時における作業性を確保することができる。また、開口部１６の近傍には、断面が略凸形状の共鳴器１３を設置する。この共鳴器１３は、発電周波数と同じ周波数の騒音を低減することができ、開口部１６から漏れる騒音を効率よく低減させることができる。
【００５３】
以上のように、本実施例に係る騒音低減外衣によれば、発電機を駆動する蒸気タービン１０を覆う外衣壁１２を設け、外衣壁１２の天井部１２ｂに開口部１６を設け、開口部１６の近傍に騒音を低減する共鳴器１３を複数設けることにより、外衣壁１２により低減することが困難な低周波数の騒音をより効率的に低減することができる。さらに、設置する共鳴器１３の数が少なくてすむため、コスト上昇をより抑制することができる。
【実施例６】
【００５４】
以下、第６の実施例に係る騒音低減外衣の構造について説明する。本実施例に係る騒音低減外衣では、共鳴器と外衣壁の壁面の内面との間に共鳴器の向きを変える角度調整機構を設けた。本実施例に係る騒音低減外衣の構造は、空気層と開口部を設けたこと以外の構造については、第５の実施例に係る低騒音外衣の構造と略同様である。
【００５５】
図６に本実施例に係る騒音低減外衣の側面図を示す。図６に示すように、共鳴器１３と外衣壁１２の壁面１２ａの内面との間に共鳴器１３の向きを変える角度調整機構１７を設けた。この角度調整機構に１７より、共鳴器１３を発電周波数の騒音の発生源方向に指向させることができるため、より効果的に開口部１６から漏れる騒音を効率よく低減させることができる。
【００５６】
以上のように、本実施例に係る騒音低減外衣によれば、共鳴器１３に、共鳴器１３の設置角度を調整する角度調整機構１７を設けることにより、外衣壁１２により低減することが困難な低周波数の騒音をより効率的に低減することができる。
【実施例７】
【００５７】
以下、第７の実施例に係る騒音低減外衣の構造について説明する。本実施例に係る騒音低減外衣では、外衣壁内部の空間の低周波数の騒音の音圧が高い点に共鳴器を設置した。
図７に本実施例に係る騒音低減外衣の側面図を示す。なお、説明のため、外衣壁は一面を除いた状態で示されているが、実際の外衣壁の形状は蒸気タービンを完全に覆う形状となっている。
【００５８】
図７に示すように、外衣壁１２により囲まれた空間内の発電周波数と同じ周波数の騒音の音圧が高い点に共鳴器１３を設置する。音圧の高い点として、外衣壁１２内部の角部を挙げることができる。また、角部以外の音圧の高い点についても、外衣壁１２内部の各所の騒音を騒音計で実際に計測して求めることもできる。
【００５９】
以上のように、本実施例に係る騒音低減外衣によれば、発電機を駆動する蒸気タービン１０を覆う外衣壁１２を設け、外衣壁１２内部の騒音の音圧が高い点に、騒音を低減する共鳴器１３を設けることにより、外衣壁１２により低減することが困難な低周波数の騒音をより効率的に低減することができる。さらに、設置する共鳴器１３の数が少なくてすむため、コスト上昇をより抑制することができる。
【実施例８】
【００６０】
以下、第８の実施例に係る騒音低減外衣の構造について説明する。本実施例に係る騒音低減外衣では、チューニング周波数が異なる複数の種類の共鳴器を有する複数チューニング型共鳴器を製作した。すなわち、発電周波数と同じ周波数Ｆ１の騒音と、発電周波数の倍数と同じ周波数Ｆ２の騒音に対して有効な共鳴器をそれぞれ設置した。本実施例に係る騒音低減外衣の構造は、チューニング周波数が異なる複数の種類の共鳴器を設置したこと以外の構造については、第１の実施例に係る低騒音外衣の構造と略同様である。
【００６１】
図９に本実施例に係る複数チューニング型共鳴器の斜視図を示す。図９に示すように、チューニング周波数が異なる複数の種類の共鳴器１９，２０の開口部１９ａ，２０ａが同一平面上に並ぶように配置した複数チューニング型共鳴器１８を製作した。複数チューニング型共鳴器１８の構造としては、例えば発電周波数と同じ周波数Ｆ１の騒音に対して有効な共鳴器１９と、発電周波数の倍数と同じ周波数Ｆ２の騒音に対して有効な共鳴器２０を配置して、周波数Ｆ１と周波数Ｆ２の騒音を同時に低減する。
【００６２】
ここで、周波数Ｆ１に対して有効な共鳴器１９と周波数Ｆ２に対して有効な共鳴器２０は大きさが異なるため、これらを効率的に配置することが可能であり、騒音低減効果をより高めることができる。この複数チューニング型共鳴器１８は、第１の実施例における図８に示す共鳴器１３の替わりに、図１に示す外衣壁１２の壁面１２ａの内側に設置して使用する。
【００６３】
以上のように、本実施例に係る騒音低減外衣によれば、共鳴器１３を、有効な周波数が異なる共鳴器１３を複数チューニング型共鳴器１８として構成することにより、外衣壁１２により低減することが困難な複数の低周波数の騒音をより効率的に低減することができる。
【実施例９】
【００６４】
以下、第９の実施例に係る騒音低減外衣の構造について説明する。本実施例に係る騒音低減外衣では、複数の共鳴器を一体に成形した複合共鳴器を製作した。ここでは、複数の共鳴器はそれぞれ同じ周波数の騒音に対して有効なものとする。本実施例に係る騒音低減外衣の構造は、複数の共鳴器を一体に成形した複合共鳴器を設置したこと以外の構造については、第１の実施例に係る低騒音外衣の構造と略同様である。
【００６５】
図１０に本実施例に係る共鳴器の斜視図を示す。図１０に示すように、複数の共鳴器を一体に成形した複合共鳴器２１を製作した。複合共鳴器２１の製作方法は、始めに複数の小室２２に均等に仕切り２３により仕切られた容器部２４を製作する。
【００６６】
次に、これら小室２２に対応する開口２５を設けた蓋部２６を製作する。最後に、図１０中の２点鎖線の矢印で示すように容器部２４と蓋部２６とを接合する。この複合共鳴器２４は、第１の実施例における図８に示す共鳴器１３の替わりに、図１に示す外衣壁１２の壁面１２ａの内側に設置して使用する。
【００６７】
以上のように、本実施例に係る騒音低減外衣によれば、共鳴器１３を、複合共鳴器２４として一体に成形することにより、設置する数は共鳴器１３と同じであっても作業工数が少なくてすむため、コスト上昇をより抑制することができる。
【実施例１０】
【００６８】
以下、第１０の実施例に係る騒音低減外衣の構造について説明する。本実施例に係る騒音低減外衣では、チューニング周波数が異なる複数の種類の共鳴器を有する複数チューニング型共鳴器を一体に成形した複数チューニング型複合共鳴器を製作した。本実施例に係る騒音低減外衣の構造は、複数チューニング型複合共鳴器を設置したこと以外の構造については、第１の実施例に係る低騒音外衣の構造と略同様である。
【００６９】
図１１に本実施例に係る共鳴器の斜視図を示す。図１１に示すように、チューニング周波数が異なる複数の種類の共鳴器を有する複数チューニング型共鳴器を一体に成形した複数チューニング型複合共鳴器２７を製作した。
【００７０】
複数チューニング型複合共鳴器２７の製作方法は、始めに複数の小室２８，２９に仕切り３０により仕切られた容器部３１を製作する。ここで、各小室２８，２９は発電周波数と同じ周波数Ｆ１の騒音、又は、発電周波数の倍数の周波数Ｆ２の騒音を低減することができる共鳴器の容器部と同じ大きさになるように製作する。
【００７１】
次に、これら小室２８，２９に対応する開口３１，３２を設けた蓋部３３を製作する。最後に、図１１中の２点鎖線の矢印で示すように容器部３１と蓋部３３とを接合する。この複数チューニング型複合共鳴器２７は、第１の実施例における図８に示す共鳴器１３の替わりに、図１に示す外衣壁１２の壁面１２ａの内側に設置して使用する。
【００７２】
以上のように、本実施例に係る騒音低減外衣によれば、共鳴器１３を、有効な周波数が異なる共鳴器１３を複数チューニング型複合共鳴器２７として一体に成形することにより、外衣壁１２により低減することが困難な複数の低周波数の騒音をより効率的に低減することができる。さらに、設置する数は共鳴器１３と同じであっても作業工数が少なくてすむため、コスト上昇をより抑制することができる。
【図面の簡単な説明】
【００７３】
【図１】実施例１に係る共鳴器を設けた騒音低減外衣の側面図である。
【図２】実施例２に係る空気層を設けた騒音低減外衣の側面図である。
【図３】実施例３に係る開口部を設けた騒音低減外衣の側面図である。
【図４】実施例４に係る空気層と開口部を設けた騒音低減外衣の側面図である。
【図５】実施例５に係る開口部近傍に共鳴器を設けた騒音低減外衣の側面図である。
【図６】実施例６に係る開口部近傍に角度調整可能に共鳴器を設けた騒音低減外衣の側面図である。
【図７】実施例７に係る高音圧点に共鳴器を設けた騒音低減外衣の側面図である。
【図８】実施例１から実施例７に係る共鳴器の斜視図である。
【図９】実施例８に係る複数チューニング型共鳴器の斜視図である。
【図１０】実施例９に係る複合共鳴器の斜視図である。
【図１１】実施例１０に係る複数チューニング型複合共鳴器の斜視図である。
【図１２】従来の騒音低減外衣の側面図である。
【符号の説明】
【００７４】
１０  蒸気タービン
１１  タービンフロア
１２  外衣壁
１２ａ  外衣壁壁面
１２ｂ  外衣壁天井部
１３，１９，２０  共鳴器
１３ａ，２４  共鳴器容器部
１３ｂ  共鳴器管部
１３ｃ，１９ａ，２０ａ，２５，３１，３２  共鳴器開口部
１４ａ，１４ｂ  吸音材
１５  空気層
１６  開口部
１７  角度調整機構
１８  複数チューニング型共鳴器
２１  複合共鳴器
２２，２８，２９  小室
２３，３０  仕切り
２６，３３  蓋部
２７  複数チューニング型複合共鳴器
【図１】
2008008243.tif 000003
【図２】
2008008243.tif 000004
【図３】
2008008243.tif 000005
【図４】
2008008243.tif 000006
【図５】
2008008243.tif 000007
【図６】
2008008243.tif 000008
【図７】
2008008243.tif 000009
【図８】
2008008243.tif 000010
【図９】
2008008243.tif 000011
【図１０】
2008008243.tif 000012
【図１１】
2008008243.tif 000013
【図１２】
2008008243.tif 000014